(57)【要約】【課題】移動式クレーンに於いてブームの先端にジブを連結する際に使用される連結ピンの打ち込み及び打ち抜き作業の安全性を向上させるとともに、作業時間の短縮及び省力化を図り、更に、クレーンの輸送時に分解された連結ピンの収納場所を確保して、省スペース及び輸送コストの削減を図る。【解決手段】補助ジブ１２の挿入孔１８の近傍位置に保持ブラケット２１を回動自在に設け、保持ブラケット２１の両端部近傍位置に夫々固定具２４，２４を固着する。連結ピン１４を固定具２４，２４に遊挿して保持ブラケット２１に支持させ、トップブーム１１側のボス１７と補助ジブ１２側の挿入孔１８と連結ピン１４の軸心とを一致させた後に、連結ピン１４をハンマにて打ち込む。【選択図】　図２
2004026441.tif 000002
【特許請求の範囲】
【請求項１】
ブームの先端にジブを連結する際に使用される連結ピンの保持装置であって、該保持装置は、連結ピンの挿入孔の近傍位置に回動自在に取り付けられた保持ブラケットと、この保持ブラケットをジブに固定する固定装置とからなり、前記保持ブラケットは、連結ピンを抜き差しする際には挿入孔の軸心と略平行に起立され、連結ピンの軸方向の動きは規制せずに連結ピンの質量を支持可能に形成され、連結ピンが前記挿入孔へ所定長さ以上に打ち込まれたときは、前記保持ブラケットは起立状態で連結ピンの支持を解放した後に、ジブの側面に沿うように倒回され、一方、連結ピンが挿入孔から引き抜かれたときは、前記保持ブラケットが起立状態で連結ピンの質量を支持したまま、ジブの側面に沿うように倒回され、更に、前記保持ブラケットは連結ピンを支持した状態で前記固定装置にてジブに固定されることを特徴とする連結ピンの保持装置。
【請求項２】
上記保持ブラケットは、その両端部近傍位置に夫々固定具を固着してあり、上記連結ピンを抜き差しする際には該固定具に連結ピンを遊挿して支持させるように構成された請求項１記載の連結ピンの保持装置。
【請求項３】
上記保持ブラケットは、ジブの一側面に沿うように倒回した位置から、少なくともジブの側面に対して直角の位置まで回動可能であり、且つ、該保持ブラケットの回動支点を上記挿入孔の側方且つ口径の中心位置に設けて、上記固定具に連結ピンを遊挿した状態で該連結ピンを挿入孔に抜き差し可能に形成した請求項１または２記載の連結ピンの保持装置。
【発明の詳細な説明】
【０００１】
【発明の属する技術分野】
本発明は連結ピンの保持装置に関するものであり、特に、移動式クレーンに於いて地上でブームの先端にジブを連結する際に使用される連結ピンの保持装置に関するものである。
【０００２】
【従来の技術】
移動式クレーンは、機械の設置と撤去の都度、地上でブームの先端にジブを取り付け若しくは取り外しているが、組み立て時にはブームとジブとの連結部分に連結ピンを打ち込んで連結し、分解時には該連結ピンを打ち抜いてブームからジブを取り外す。
【０００３】
図５に示すように、従来の移動式クレーンではトップブーム１の先端部に補助ジブ２とストラットジブ３を連結ピン４にて連結し、ペンダントロープ５，６を掛着してバランスをとっている。
【０００４】
図６に示すように、トップブーム１側に設けられているボス７と、補助ジブ２側に設けられている挿入孔８とを一致させ、双方の孔に連結ピン４を挿通して抜け止めピン９にて固定してある。また、補助ジブ２にはストラットジブ３の下端部が補助ピン１０にて取り付けられている。
【０００５】
クレーンを組み立てる際には、前記トップブーム１側のボス７の孔と補助ジブ２側の挿入孔８とを一致させ、その後ピン保持作業者が連結ピン４を保持しながら前記挿入孔８とボス７に連結ピン４を差し込む。この状態を保持しつつ、他の打ち込み作業者がハンマにて連結ピン４を打ち込んでいく。
【０００６】
一方、クレーンを分解する際には、上記作業とは逆に、打ち抜き作業者がハンマにて連結ピン４を打ち抜き、該連結ピン４がある程度抜けてきたところで、ピン保持作業者が連結ピン４を保持する。その後ピン保持作業者が連結ピン４を保持した状態で、打ち抜き作業者は連結ピン４をハンマにて打ち抜いていく。
【０００７】
【発明が解決しようとする課題】
前述したように、連結ピンの打ち込み及び打ち抜き作業では、ピン保持作業者が重量の嵩む連結ピンを保持した状態で、他の作業者がハンマにて連結ピンを打ち込み若しくは打ち抜きするため、大変危険な作業であった。特に、連結ピンが抜け出たときの反動でピン保持作業者が倒れたり、連結ピンを落として怪我をする等の事故が発生し易い。ピン保持作業者の代わりに補助クレーンを使用することも可能であるが、補助クレーン設置のために時間を費すため、作業時間短縮及び省力化の妨げとなる。
【０００８】
このように、地上にて行われるクレーンの設置と撤去に於ける組み立て及び分解作業に際しては、連結ピンの打ち込みまたは打ち抜き作業が必要であるが、クレーンの吊り上げ性能の向上に伴って、ブームアタッチメント等の連結部作用力（圧縮力、支持力）を高めるために、連結ピンのサイズが拡大され且つ質量も増加して、作業の安全性並びに作業時間の短縮及び省力化の要求を妨げる原因となっている。
【０００９】
そこで、移動式クレーンに於いてブームの先端にジブを連結する際に使用される連結ピンの打ち込み及び打ち抜き作業の安全性を向上させるとともに、作業時間の短縮及び省力化を図り、更に、クレーンの輸送時に分解された連結ピンの収納場所を確保して、省スペース及び輸送コストの削減を図るために解決すべき技術的課題が生じてくるのであり、本発明はこの課題を解決することを目的とする。
【００１０】
【課題を解決するための手段】
本発明は上記目的を達成するために提案されたものであり、ブームの先端にジブを連結する際に使用される連結ピンの保持装置であって、該保持装置は、連結ピンの挿入孔の近傍位置に回動自在に取り付けられた保持ブラケットと、この保持ブラケットをジブに固定する固定装置とからなり、前記保持ブラケットは、連結ピンを抜き差しする際には挿入孔の軸心と略平行に起立され、連結ピンの軸方向の動きは規制せずに連結ピンの質量を支持可能に形成され、連結ピンが前記挿入孔へ所定長さ以上に打ち込まれたときは、前記保持ブラケットは起立状態で連結ピンの支持を解放した後に、ジブの側面に沿うように倒回され、一方、連結ピンが挿入孔から引き抜かれたときは、前記保持ブラケットが起立状態で連結ピンの質量を支持したまま、ジブの側面に沿うように倒回され、更に、前記保持ブラケットは連結ピンを支持した状態で前記固定装置にてジブに固定される連結ピンの保持装置、
及び、上記保持ブラケットは、その両端部近傍位置に夫々固定具を固着してあり、上記連結ピンを抜き差しする際には該固定具に連結ピンを遊挿して支持させるように構成された連結ピンの保持装置、
及び、上記保持ブラケットは、ジブの一側面に沿うように倒回した位置から、少なくともジブの側面に対して直角の位置まで回動可能であり、且つ、該保持ブラケットの回動支点を上記挿入孔の側方且つ口径の中心位置に設けて、上記固定具に連結ピンを遊挿した状態で該連結ピンを挿入孔に抜き差し可能に形成した連結ピンの保持装置を提供するものである。
【００１１】
【発明の実施の形態】
以下、本発明の一実施の形態を図１乃至図４に従って詳述する。図１に示すように、移動式クレーンではトップブーム１１の先端部に補助ジブ１２とストラットジブ１３を連結ピン１４にて連結し、ペンダントロープ１５，１６を掛着してバランスをとっている。
【００１２】
図２に示すように、トップブーム１１側に設けられているボス１７と、補助ジブ１２側に設けられている挿入孔１８とを一致させ、双方の孔に連結ピン１４を挿通して抜け止めピン１９にて固定してある。また、補助ジブ１２にはストラットジブ１３の下端部が補助ピン２０にて取り付けられている。
【００１３】
ここで、図２乃至図４に示すように、前記補助ジブ１２の挿入孔１８の近傍位置に保持ブラケット２１が設けられている。該保持ブラケット２１は、補助ジブ１２の側面に固設したプレート２２にピン２３にて回動可能に取り付けられている。このプレート２２は前記挿入孔１８の軸心の略直上且つ補助ジブ１２の側面に対して外方向略直角に突設されており、前述したピン２３が補助ジブ１２の長手方向に対して直角即ち補助ジブ１２を水平に載置した状態で鉛直方向に取り付けられている。
【００１４】
従って、このピン２３を中心に前記保持ブラケット２１は、補助ジブ１２の側面に沿うように倒回した状態から、補助ジブ１２の側面に対して直角の位置即ち前記挿入孔１８の軸心と一致する位置まで水平回動可能となっている。また、前記保持ブラケット２１は、その両端部近傍位置に夫々固定具２４，２４を固着してある。該固定具２４は略Ｕ字形状であり、Ｕ字形の開放された端部側に固定ピン２５を着脱自在に架設してある。
【００１５】
次に、クレーンの組み立て時及び分解時に於ける作用を説明する。尚、説明の都合上、クレーンを分解する際の連結ピン１４の打ち抜き作業手順から先に説明する。図２の実線で示すように、トップブーム１１側のボス１７と補助ジブ１２側の挿入孔１８とに連結ピン１４が挿通されて抜け止めピン１９にて固定してある。連結ピン１４を打ち抜く際には、先ず連結ピン１４の両端に差し込まれている抜け止めピン１９を引き抜いて取り外す。これと同時に、前記保持ブラケット２１を補助ジブ１２の側面に対して略直角の位置に回動し、前記保持ブラケット２１と前記挿入孔１８の軸心とを一致させる。
【００１６】
この状態で、打ち抜き作業者が連結ピン１４の一端部をハンマにて打ち抜く。打ち抜きが進むと連結ピン１４の他端部がボス１７及び挿入孔１８から外側へ突出していく。前述したように、前記保持ブラケット２１は挿入孔１８の軸心と一致する位置に回動してあるので、前記ボス１７及び挿入孔１８から外側へ突出した連結ピン１４は前記保持ブラケット２１の下方に沿って移動していき、図２の二点鎖線で示すように、前記固定具２４，２４の中を通過していく。
【００１７】
従って、図３の実線で示すように、打ち抜かれて反対側へ突出した連結ピン１４はこの固定具２４，２４に遊挿されて支持される。このため、従来必要であったピン保持作業者が不要となり、且つ、前記連結ピン１４が保持ブラケット２１の固定具２４，２４にて確実に支持されるため、連結ピン１４が不慮落下する虞がない。斯くして、前記連結ピン１４が挿入孔１８から引き抜かれて抜き出され、トップブーム１１と補助ジブ１２が分離する。
【００１８】
更に、前記連結ピン１４を支持した状態のまま保持ブラケット２１を回動し、図３の二点鎖線で示すように、前記保持ブラケット２１を補助ジブ１２の側面に沿うように倒回する。補助ジブ１２の側面には保持ブラケット用の固定装置２６と連結ピン用の拘束装置２７が設けられており、一方の固定装置２６に保持ブラケット２１を固定するとともに、他方の拘束装置２７に連結ピン１４の先端部を拘束固定する。従って、図４に示すように、打ち抜かれた連結ピン１４及び保持ブラケット２１は補助ジブ１２の側面に確実に固定され、分解・輸送保管時に連結ピン１４が不慮脱落するのを防止できる。
【００１９】
一方、クレーンを組み立てる際の連結ピン１４の打ち込み作業手順を説明する。連結ピン１４の打ち込みは、前述した打ち抜きの逆手順によって行う。先ず、トップブーム１１側に設けられているボス１７と、補助ジブ１２側に設けられている挿入孔１８とを一致させて位置合せを行う。そして、図４に示した格納状態から固定装置２６及び拘束装置２７を解除した後、連結ピン１４及び保持ブラケット２１を回動して図３の実線で示した位置へ移動し、前記トップブーム１１のボス１７の軸心と、補助ジブ１２の挿入孔１８の軸心と、連結ピン１４の軸心とをすべて一致させる。
【００２０】
斯かる状態で連結ピン１４の一端部を挿入孔１８からボス１７へ差し込み、打ち込み作業者が連結ピン１４の他端部をハンマにて打ち込む。打ち込みが進むと連結ピン１４がボス１７及び挿入孔１８から内側へ進入していき、図２の二点鎖線で示すように、連結ピン１４がある程度打ち込まれて保持ブラケット２１での支持が不要となり、挿入孔１８から抜け落ちない状態となったときは、前記固定具２４から固定ピン２５を離脱して固定具２４を解放状態にする。
【００２１】
この解放状態で、前記保持ブラケット２１を回動して連結ピン１４から離反させ、保持ブラケット２１を補助ジブ１２の側面に沿うように倒回する。保持ブラケット２１がなくなって打ち込みやすくなった前記連結ピン１４をハンマにて更に打ち込んでいく。そして、連結ピン１４を所定位置まで打ち込んだ後、図２の実線で示すように、連結ピン１４の両端部に抜け止めピン１９を挿入して抜け止めを行う。また、前記保持ブラケット２１は固定装置２６に固定する。
【００２２】
斯くして、トップブーム１１の先端に補助ジブ１２が取り付けられて、クレーンが組み立てられる。また、前記保持ブラケット２１は補助ジブ１２の側面に固定装置２６にて確実に固定され、格納状態の保持ブラケット２１がクレーン作業中に不慮回動するのを防止できる。
【００２３】
尚、本発明は、本発明の精神を逸脱しない限り種々の改変を為すことができ、そして、本発明が該改変されたものに及ぶことは当然である。
【００２４】
【発明の効果】
本発明は上記一実施の形態に詳述したように、請求項１記載の発明は、連結ピンの挿入孔の近傍位置に保持ブラケットを回動自在に取り付け、連結ピンを抜き際する際には連結ピンの軸方向の動きは規制せずに連結ピンの質量を支持可能に形成したので、従来連結ピンの打ち込みまたは打ち抜きに際して必要だったピン保持者が不要となり、安全性の向上及び省力化を図ることができる。
【００２５】
また、該保持ブラケットは回動自在であるため、連結ピンが挿入孔へ所定長さ以上に打ち込まれたときは、連結ピンの支持を解放して保持ブラケットをジブの側面に沿うように倒回させれば、連結ピンの打ち込み作業が容易となる。格納された保持ブラケットは固定装置にてジブの側面へ固定されるので、クレーン作業中に保持ブラケットが不慮回動する虞がない。
【００２６】
一方、連結ピンが挿入孔から引き抜かれたときは、連結ピンの質量を支持したまま保持ブラケットをジブの側面に沿うように倒回させ、連結ピンを支持した状態で保持ブラケットを固定装置にてジブに固定するため、分解・輸送保管時に連結ピンが不慮脱落することを防止できる。
【００２７】
請求項２記載の発明は、上記保持ブラケットはその両端部近傍位置に夫々固定具を固着してあるので、連結ピンを抜き差しする際には該固定具に連結ピンを遊挿して支持させることができ、請求項１記載の発明と同様の効果を奏する。
【００２８】
請求項３記載の発明は、上記保持ブラケットはジブの側面に沿うような倒回した位置から、少なくともジブの側面に対して直角の位置まで回動可能であるため、請求項１または２記載の発明と同様の効果を奏する。
【図面の簡単な説明】
【図１】本発明の一実施の形態を示し、移動式クレーンのトップブームと補助ジブの部分側面図。
【図２】本発明の一実施の形態を示し、保持ブラケットが取り付けられた補助ジブとトップブームの連結部分の縦断正面図。
【図３】本発明の一実施の形態を示し、（ａ）は保持ブラケットが取り付けられた補助ジブとトップブームの連結部分の部分平面図。（ｂ）は固定具の正面図。
【図４】本発明の一実施の形態を示し、保持ブラケットが格納された状態の補助ジブの部分側面図。
【図５】従来技術を示し、移動式クレーンのトップブームと補助ジブの部分側面図。
【図６】従来技術を示し、補助ジブとトップブームの連結部分の部分縦断正面図。
【符号の説明】
１１　　　　トップブーム
１２　　　　補助ジブ
１４　　　　連結ピン
１８　　　　挿入孔
２１　　　　保持ブラケット
２４　　　　固定具
２６　　　　固定装置
【図１】
2004026441.tif 000003
【図２】
2004026441.tif 000004
【図３】
2004026441.tif 000005
【図４】
2004026441.tif 000006
【図５】
2004026441.tif 000007
【図６】
2004026441.tif 000008